(57)【要約】  シリンジ装着具１は、シリンジの外筒１０、２０を先端側から挿入可能であり、外筒より短い筒状部３と、筒状部３の基端に設けられ、外筒のフランジ１１を収納するフランジ収納部と、フランジ収納部より外側に延びる拡張フランジ部２とを備える。フランジ収納部は、第１の大きさのフランジを有する外筒１０のための第１のフランジ収納用凹部５と、第１のフランジ収納用凹部５より基端側に位置し、第１の大きさのフランジより大きい第２の大きさのフランジ２１を有する外筒２０のための第２のフランジ収納用凹部６とを備えている。
2015146501.tif 000002
【特許請求の範囲】
【請求項１】
フランジ付き外筒を備えるシリンジに装着するためのシリンジ装着具であって、前記シリンジ装着具は、前記外筒を先端側から挿入可能であり、かつ、前記外筒より短く、前記外筒の基端側部分を被包可能な筒状部と、前記筒状部の基端に設けられ、前記外筒の前記フランジを収納するフランジ収納部と、前記フランジ収納部より、外側に延びる拡張フランジ部とを備え、前記フランジ収納部は、第１の大きさの前記フランジを有するシリンジの前記フランジを収納するための第１のフランジ収納用凹部と、前記第１のフランジ収納用凹部より基端側に位置し、前記第１の大きさのフランジより大きい第２の大きさのフランジを有するシリンジの前記フランジを収納するための第２のフランジ収納用凹部とを備えていることを特徴とするシリンジ装着具。
【請求項２】
前記第１のフランジ収納用凹部は、前記第１のフランジ収納用凹部の内面に設けられたフランジ離脱規制部を備えている請求項１に記載のシリンジ装着具。
【請求項３】
前記第２のフランジ収納用凹部は、前記第２のフランジ収納用凹部の内面に設けられたフランジ離脱規制部を備えている請求項１または２に記載のシリンジ装着具。
【請求項４】
フランジ付き外筒を備えるシリンジに装着するためのシリンジ装着具であって、前記シリンジ装着具は、前記外筒を先端側から挿入可能であり、かつ、前記外筒より短く、前記外筒の基端側部分を被包可能な筒状部と、前記筒状部の基端に設けられ、前記外筒の前記フランジを収納するフランジ収納部と、前記フランジ収納部より、外側に延びる拡張フランジ部とを備え、前記フランジ収納部は、第１の大きさの前記フランジを有するシリンジの前記フランジを収納するための第１のフランジ収納用凹部と、前記第１のフランジ収納用凹部より基端側に位置し、前記第１の大きさのフランジより大きい第２の大きさのフランジを有するシリンジの前記フランジを収納するための第２のフランジ収納用凹部とを備え、前記第１のフランジ収納用凹部は、前記第１のフランジ収納用凹部の内面に設けられたフランジ離脱規制部を備え、前記第２のフランジ収納用凹部は、前記第２のフランジ収納用凹部の内面に設けられたフランジ離脱規制部を備えていることを特徴とするシリンジ装着具。
【請求項５】
前記フランジ離脱規制部は、前記フランジ収納用凹部の内面の基端側部位に形成された係合用突起を備えており、前記係合用突起は、前記フランジ収納用凹部への前記シリンジのフランジの収納時に、前記フランジの外縁部が乗り越え可能かつ、乗り越え後、前記フランジの基端面の外縁部と係合可能である請求項２ないし４のいずれかに記載のシリンジ装着具。
【請求項６】
前記第１のフランジ収納用凹部は、前記シリンジのフランジの向かい合う２つの外縁部の先端面と当接可能な向かい合う２つの底面部と、前記各底面部の外縁より基端側に延びる内側面部とを備えている請求項１ないし５のいずれかに記載のシリンジ装着具。
【請求項７】
前記第２のフランジ収納用凹部は、前記シリンジのフランジの外縁部の先端面と当接可能な環状底面部と、前記環状底面部の外縁より基端側に延びる環状内側面部とを備えている請求項１ないし６のいずれかに記載のシリンジ装着具。
【請求項８】
前記係合用突起は、前記内側面部に設けられている請求項６または７に記載のシリンジ装着具。
【請求項９】
前記底面部は、前記係合用突起の先端側となる部分に設けられ、前記底面部を貫通する貫通孔を備えている請求項８に記載のシリンジ装着具。
【請求項１０】
前記拡張フランジ部は、向かい合う２つの延出部を備えている請求項１ないし９のいずれかに記載のシリンジ装着具。
【請求項１１】
前記拡張フランジ部の最大長部分の長さは、前記筒状部の内径の２〜１０倍である請求項１ないし１０のいずれかに記載のシリンジ装着具。
【請求項１２】
前記拡張フランジ部の最大長部分の長さは、前記第２のフランジ収納用凹部の最大長部分の長さの１．５〜４倍である請求項１ないし１１のいずれかに記載のシリンジ装着具。
【発明の詳細な説明】
【技術分野】
【０００１】
本発明は、シリンジの外筒に取り付けて使用するシリンジ装着具に関する。
【背景技術】
【０００２】
医療用シリンジは、先端部にガスケットを有するプランジャーと、このプランジャーを摺動可能に収納し、先端に注射針やカテーテルを取り付けるためのラウンドチップを有する外筒とからなるものが一般的である。
このようなシリンジを用いて高粘度の薬剤を注入しようとする場合、またシリンジの先端に内径の細い注射針やカテーテルを装着して薬液など注入しようとする場合、注入抵抗が高いことまたシリンジの把持が容易でないことなどより注入作業が困難な場合がある。【０００３】
例えば、心臓血管治療または肝臓癌の治療などにおける血管造影の際の造影剤（粘度：４．０ｃｐｓ以上）または抗癌剤の注入時では、高粘度の薬液または造影剤を注入するため注入抵抗が高く、マイクロカテーテルを使用した脳血管内治療における血管塞栓用薬剤［ＩＢＣＡ（イソブチルシアノアクリレート、ＮＢＣＡ（ノルマルブチルシアノアクリレート）、ポリビニルアルコール粉末、ゼラチンスポンジ粉末等］の注入時または血管造影剤の注入時では、高粘度の薬剤をマイクロカテーテルのような細径のチューブ内に注入させなければならず、注入抵抗が高い。このような場合、従来では、市販のロック付きシリンジを用いて行っていた。しかし、市販のロック付きシリンジは、上述のような高抵抗状態での薬剤等を注入を考えて作成されたものでなく、薬剤の注入作業が困難で作業者に苦痛を与えることがあった。【０００４】
そこで、本件出願人は、特許文献１（特開平８−１２６７０１号）の外筒用装着具を提案している。 外筒用装着具５は、外筒４に装着するための外筒装着部７と、外筒４のフランジ４ｂの前方面より広い面積の前方面を有する拡張フランジ部８と、外筒４のフランジ４ｂの前方面に当接するフランジ当接部１０とを有している。
【先行技術文献】
【特許文献】
【０００５】
【特許文献１】特開平８−１２６７０１号
【発明の概要】
【発明が解決しようとする課題】
【０００６】
特許文献１の外筒用装着具を用いることにより、シリンジ内に収納した薬液等を注入する際に指を引っかける部分であるフランジがシリンジが持つフランジより広くなり、シリンジの把持性が向上し、薬液等の注入作業が容易となり、有効である。しかし、特許文献１のものでは、外筒用装着具７は、筒状部４ａの外形に対応する形状（内面形状）を有する凹部７ａと、筒状部４ａをその側面側より挿入するための外筒挿入部７ｂと、外筒係止部７ｃとを有している。このため、装着後、外筒もしくは外筒用装着具に、離脱方向の衝撃が付与されたとき、離脱するおそれがある。【０００７】
また、近年では、予め薬液が充填されるいわゆるプレフィルドシリンジが多く用いられている。プレフィルドシリンジ内には、あらかじめ設定した量の薬液が充填されているため、治療目的によっては、患者の状態により、投与する薬液量を投与間際に変更する場合があり、このため、異なる容量（言い換えれば、異なる大きさ）のプレフィルドシリンジが準備されることがある。また、２種以上のプレフィルドシリンジによる薬液投与を行う場合もあり、この場合においても、各プレフィルドシリンジは、容量（大きさ）が異なる場合がある。【０００８】
そこで、本願発明の目的は、装着後において、シリンジが持つフランジより広いフランジ部を備えるものとなり、かつ、不用意なシリンジからの離脱がなく、さらに、異なる２種類の大きさのシリンジに対応することができるシリンジ装着具を提供するものである。
【課題を解決するための手段】
【０００９】
上記目的を達成するものは、以下のものである。
フランジ付き外筒を備えるシリンジに装着するためのシリンジ装着具であって、前記シリンジ装着具は、前記外筒を先端側から挿入可能であり、かつ、前記外筒より短く、前記外筒の基端側部分を被包可能な筒状部と、前記筒状部の基端に設けられ、前記外筒の前記フランジを収納するフランジ収納部と、前記フランジ収納部より、外側に延びる拡張フランジ部とを備え、前記フランジ収納部は、第１の大きさの前記フランジを有するシリンジの前記フランジを収納するための第１のフランジ収納用凹部と、前記第１のフランジ収納用凹部より基端側に位置し、前記第１の大きさのフランジより大きい第２の大きさのフランジを有するシリンジの前記フランジを収納するための第２のフランジ収納用凹部とを備えているシリンジ装着具。
【図面の簡単な説明】
【００１０】
【図１】図１は、本発明のシリンジ装着具の一実施例の正面図である。
【図２】図２は、図１に示したシリンジ装着具の平面図である。
【図３】図３は、図１に示したシリンジ装着具の底面図である。
【図４】図４は、図１に示したシリンジ装着具の右側面図である。
【図５】図５は、図１のＡ−Ａ線断面図である。
【図６】図６は、図２のＢ−Ｂ線断面図である。
【図７】図７は、図１に示したシリンジ装着具の斜視図である。
【図８】図８は、本発明のシリンジ装着具を第１の大きさのフランジを有する外筒に装着した状態の斜視図である。
【図９】図９は、本発明のシリンジ装着具を第１の大きさのフランジを有する外筒に装着した状態の縦断面図である。
【図１０】図１０は、本発明のシリンジ装着具を第２の大きさのフランジを有する外筒に装着した状態の斜視図である。
【図１１】図１１は、本発明のシリンジ装着具を第２の大きさのフランジを有する外筒に装着した状態の縦断面図である。
【図１２】図１２は、本発明のシリンジ装着具をシリンジに装着した状態を説明するための説明図である。
【発明を実施するための形態】
【００１１】
本発明のシリンジ装着具を図面に示した実施例を用いて説明する。
本願発明のシリンジ装着具１は、フランジ付き外筒を備えるシリンジに装着するためのシリンジ装着具である。シリンジ装着具１は、外筒を先端側から挿入可能であり、かつ、外筒より短く、外筒の基端側部分を被包可能な筒状部３と、筒状部３の基端に設けられ、外筒のフランジを収納するフランジ収納部と、フランジ収納部より、外側に延びる拡張フランジ部２とを備える。
【００１２】
さらに、フランジ収納部は、第１の大きさのフランジを有するシリンジのフランジを収納するための第１のフランジ収納用凹部５と、第１のフランジ収納用凹部５より基端側に位置し、第１の大きさのフランジより大きい第２の大きさのフランジを有するシリンジのフランジを収納するための第２のフランジ収納用凹部６とを備えている。
【００１３】
図１ないし図１２に示す実施例のシリンジ装着具１は、筒状部３と、筒状部３の基端に設けられたフランジ収納部と、フランジ収納部より、外側に延びる拡張フランジ部２とを備える。
シリンジ装着具１は、図８ないし図１１に示すように、２種類以上の大きさのシリンジ（言い換えれば、２種類の大きさの外筒）に使用できるものとなっている。具体的には、後述するフランジ１１を有する外筒１０およびフランジ１１より大きいフランジ２１を有する外筒２０に装着可能なものとなっている。
【００１４】
筒状部３は、図８ないし図１１に示すように使用される外筒１０，２０のフランジ１１，２１より先端側における最大外径部分（通常、外筒の筒状本体部１２，２２）の外径より大きな内径を有する貫通部３０を有し、シリンジを先端側から挿入可能なものとなっている。また、筒状部３は、挿入されたシリンジの先端部が露出可能であり、かつ、外筒の筒状本体部１２，２２より短く、外筒１０，２０の筒状本体部１２，２２の基端側部分を被包可能なものとなっている。
【００１５】
筒状部３の基端部には、拡張フランジ部２が設けられている。
拡張フランジ部２は、筒状部３の基端部より、外側、具体的には、筒状部３の軸方向に対して垂直方向外側に延びる平板状のものとなっている。そして、拡張フランジ部２は、向かい合う２つの延出部２ａ、２ｂを備えており、この延出部２ａ，２ｂが、シリンジ装着具１がシリンジに装着されたとき、拡張フランジとして機能する。
【００１６】
この実施例では、延出部２ａ，２ｂは、先端側面および基端側面は、平坦面となっている。なお、先端側面には、滑り止め用のリブを設けてもよい。そして、拡張フランジ部２の最大長部分の長さは、筒状部３の内径の２〜１０倍であることが好ましく、特に、３〜５倍であることが好ましい。
【００１７】
そして、筒状部３と拡張フランジ部２の接合部分にフランジ収納部が形成されている。この実施例の装着具１は、拡張フランジ部２と筒状部３間に位置する、言い換えれば、拡張フランジ部２と筒状部３間を連結する突出部４を備えている。そして、この実施例の装着具１では、フランジ収納部は、拡張フランジ部２の内部と突出部４の内部に形成されている。
【００１８】
フランジ収納部は、第１の大きさのフランジを有するシリンジのフランジを収納するための第１のフランジ収納用凹部５と、第１のフランジ収納用凹部５より基端側に位置し、第１の大きさのフランジより大きい第２の大きさのフランジを有するシリンジのフランジを収納するための第２のフランジ収納用凹部６とを備えている。
【００１９】
第１のフランジ収納用凹部５は、図２、図６、図７および図８に示すように、拡張フランジ部２の基端面より、先端側に位置し、筒状部３の基端に設けられている。具体的には、第１のフランジ収納用凹部５は、突出部４の内面に形成されている。第１のフランジ収納用凹部５は、向かい合う２つの底面部５ａ、５ｂと底面部５ａ、５ｂの外縁より基端方向に延びる内側面部５１ａ，５１ｂにより形成されている。この実施例のものでは、内側面部は、起立面となっている。第２のフランジ収納用凹部６は、その全体が環状に形成されており、全体においてフランジを保持する。
【００２０】
そして、第１のフランジ収納用凹部５は、第１のフランジ収納用凹部５の内面に設けられたフランジ離脱規制部を備えている。この実施例のシリンジ装着具１では、フランジ離脱規制部は、フランジ収納用凹部５の内側面部５１ａ，５１ｂの基端側部位に形成された係合用突起５２ａ，５２ｂにより形成されている。係合用突起５２ａ，５２ｂは、図２、図７ないし図９に示すように、フランジ収納用凹部５への外筒１０のフランジ１１の収納時に、フランジ１１の対向部１１ａ，１１ｂの外縁部が乗り越え可能かつ、乗り越え後、フランジ１０の対向部１１ａ，１１ｂの基端面の外縁部と係合可能なものとなっている。
【００２１】
そして、第１のフランジ収納用凹部５の底面部５ａ、５ｂと係合用突起５２ａ，５２ｂ間の距離は、使用対象である外筒１０が備えるフランジの対向部１１ａ，１１ｂの最大肉厚部とほぼ同じものとなっている。また、この実施例のシリンジ装着具１では、フランジ収納用凹部５の内側面部の形状は、使用対象である外筒１０が備えるフランジの外縁形状に対応している。さらに、この実施例では、装着具１は、係合用突起５２ａ，５２ｂの先端側となる部分に設けられ、かつ、底面部５ａ、５ｂを貫通する貫通孔５３ａ，５３ｂを備えている。
そして、拡張フランジ部２の最大長部分の長さは、第１のフランジ収納用凹部の最大長部分の長さの１．５〜４倍であることが好ましい。
【００２２】
そして、この実施例の装着具では、第１のフランジ収納用凹部５の基端面を覆うように、第２のフランジ収納用凹部６が形成されている。よって、第２のフランジ収納用凹部６は、第１のフランジ収納用凹部５より基端側に位置し、第１のフランジ収納用凹部５よりひとまわり大きいものとなっている。
【００２３】
第２のフランジ収納用凹部６は、図２、図６ないし図１２に示すように、拡張フランジ部２の内部に設けられている。第２のフランジ収納用凹部６は、環状底面部６０と環状底面部６０の外縁より基端方向に延びる環状内側面部６１により形成されている。この実施例のものでは、環状内側面部６１は、起立面となっている。第１のフランジ収納用凹部５は、向かい合う２つのフランジ保持部を有している。そして、２つのフランジ保持部の内側面部５１ａ，５１ｂ間には、向かい合う２つの窪み３１が形成されている。この窪み３１は、第２の大きさの外筒２０の挿入部を形成している。
【００２４】
そして、第２のフランジ収納用凹部６は、第２のフランジ収納用凹部６の環状内側面部６１に設けられたフランジ離脱規制部を備えている。この実施例のシリンジ装着具１では、フランジ離脱規制部は、フランジ収納用凹部６の環状内側面部６１の基端側部位に形成された向かい合う２つの係合用突起６２ａ，６２ｂにより形成されている。２つの係合用突起６２ａ，６２ｂは、拡張フランジ部の２つの延出部の中央部間となる位置に設けられている。係合用突起６２ａ，６２ｂは、図２、図７、図１０ないし図１２に示すように、フランジ収納用凹部６への外筒２０のフランジ２１の収納時に、フランジ２１の対向部２１ａ，２１ｂの外縁部が乗り越え可能かつ、乗り越え後、フランジ２１の対向部２１ａ，２１ｂの基端面の外縁部と係合可能なものとなっている。
【００２５】
そして、第２のフランジ収納用凹部６の底面部６０と係合用突起６２ａ，６２ｂ間の距離は、使用対象である外筒２０が備えるフランジの対向部２１ａ，２１ｂの最大肉厚部とほぼ同じものとなっている。また、この実施例のシリンジ装着具１では、フランジ収納用凹部６の内側面部の形状は、使用対象である外筒２０が備えるフランジの外縁形状に対応している。さらに、この実施例では、装着具１は、係合用突起６２ａ，６２ｂの先端側となる部分に設けられ、かつ、底面部６０を貫通する貫通孔６３ａ，６３ｂを備えている。
そして、拡張フランジ部２の最大長部分の長さは、第２のフランジ収納用凹部の最大長部分の長さの１．５〜４倍であることが好ましく、特に、２倍〜３倍であることが好ましい。
【００２６】
次に、本発明のシリンジ装着具１の第１の作用を第１の大きさのフランジ１１を有する外筒１０への装着状態を示す図８および図９を用いて説明する。
ここに用いるシリンジの外筒１０は、フランジ１１と、フランジ１１より先端方向に延びる筒状外筒本体部１２と、外筒本体部１２の先端部に設けられたノズル部１３と、ノズル部１３を被包するように設けられたカラー１４を備えている。カラー１４は、内面に注射針等のハブと係合するための螺合部を備えている。そして、この外筒１０では、フランジ形成部以外での最大外径部は、外筒本体部１２となっている。
【００２７】
そして、この外筒１０の先端部をシリンジ装着具１の基端側より、筒状部３内に挿入する。外筒本体部１２の基端部が、シリンジ装着具１の基端内となり、さらに、挿入を進行することにより、外筒１２のフランジ部１１が、第２のフランジ収納用凹部６を通過し、第１のフランジ収納用凹部５の係合用突起５２ａ，５２ｂと当接する。そして、フランジ１１を押圧することにより、図８および図９に示すように、フランジ１１が係合用突起５２ａ，５２ｂを乗り越え、第１のフランジ収納用凹部５に収納され、装着具１は、外筒１０に装着される。また、装着状態において、フランジ１１の先端面は、フランジ収納用凹部５の底面部５ａ、５ｂに当接し、フランジ１１の後端面は、フランジ収納用凹部５の係合用突起５２ａ，５２ｂと当接する。これにより、装着具１が、外筒１０から離脱が規制される。そして、この装着具１を装着された外筒１０は、十分な大きさのフランジ２を有するものとなる。また、装着具１の筒状部３は、外筒１０の筒状本体部１２の基端部を被包するとともに、両者間に環状の空間が形成されている。
【００２８】
次に、本発明のシリンジ装着具１の第２の作用を第２の大きさのフランジ２１を有する外筒２０（それを備えたシリンジ４０）への装着状態を示す図１０ないし図１２を用いて説明する。
【００２９】
ここに用いるシリンジの外筒２０は、上述した外筒１０より、大きいフランジ２１と、フランジ２１より先端方向に延び、上述した外筒１０の筒状本体部１２より外径が大きい筒状外筒本体部２２と、外筒本体部２２の先端部に設けられたノズル部２３と、ノズル部２３を被包するように設けたれたカラー２４を備えている。カラー１４は、内面に注射針等のハブと係合するための螺合部を備えている。そして、この外筒２０においてもフランジ形成部以外での最大外径部は、外筒本体部２２となっている。
【００３０】
そして、この外筒２０を先端側から、シリンジ装着具１の筒状部３内に挿入する。外筒本体部２２の基端部が、シリンジ装着具１の基端内となり、さらに、挿入を進行することにより、外筒２０のフランジ２１が、第２のフランジ収納用凹部６の係合用突起６２ａ，６２ｂと当接する。そして、フランジ２１を押圧することにより、図１０ないし図１２に示すように、フランジ２１が係合用突起６２ａ，６２ｂを乗り越え、第２のフランジ収納用凹部６に収納され、装着具１は、外筒２０に装着される。また、装着状態において、フランジ２１の先端面は、フランジ収納用凹部６の底面部６０に当接し、フランジ２１の後端面は、フランジ収納用凹部６の係合用突起６２ａ，６２ｂと当接する。これにより、装着具１が、外筒２０から離脱が規制される。そして、この装着具１を装着された外筒２０は、十分な大きさのフランジ２を有するものとなる。また、装着具１の筒状部３は、外筒２０の筒状本体部２２の基端部を被包するとともに、両者間に狭い環状の空間が形成されている。
【００３１】
本発明のシリンジ装着具１は、上述したように、シリンジの外筒に装着される。シリンジとしては、通常のシリンジを用いることができ、また、図１２に示すようなプレフィルドシリンジ４０にも使用することができる。プレフィルドシリンジ４０は、通常、上述したようにフランジ２１を有する外筒２０と、外筒２０のノズル部に液密かつ着脱可能に取り付けられたシールキャップ３５と、外筒２０内に摺動可能に収納されたガスケット３６と、ガスケット３６の後端に取り付けられたもしくは取り付け可能なプランジャー３７と、外筒２０内に収納された薬剤３８を備える。
【００３２】
なお、本発明のシリンジ装着具１としては、上述した実施例のような形態に限定されるものではなく、例えば、シリンジ装着具１の拡張フランジ部の形状は、円形、楕円形であってもよく、表面（特に先端側表面）は、指が滑らないよう凹凸、波状であってもよい。
【産業上の利用可能性】
【００３３】
本発明のシリンジ装着具は、以下のものである。
（１）  フランジ付き外筒を備えるシリンジに装着するためのシリンジ装着具であって、前記シリンジ装着具は、前記外筒を先端側から挿入可能であり、かつ、前記外筒より短く、前記外筒の基端側部分を被包可能な筒状部と、前記筒状部の基端に設けられ、前記外筒の前記フランジを収納するフランジ収納部と、前記フランジ収納部より、外側に延びる拡張フランジ部とを備え、前記フランジ収納部は、第１の大きさの前記フランジを有するシリンジの前記フランジを収納するための第１のフランジ収納用凹部と、前記第１のフランジ収納用凹部より基端側に位置し、前記第１の大きさのフランジより大きい第２の大きさのフランジを有するシリンジの前記フランジを収納するための第２のフランジ収納用凹部とを備えているシリンジ装着具。【００３４】
この装着具をシリンジに装着することにより、シリンジが持つフランジより広いフランジ部を備えるものとなり、注射作業が容易なものとなり、かつ、装着されたシリンジ装着具は、不用意なシリンジからの離脱がない。さらに、この装着具では、大きさの異なる２種類のシリンジに対応することができる。【００３５】
また、上記の実施態様は、以下のものであってもよい。
（２）  前記第１のフランジ収納用凹部は、前記第１のフランジ収納用凹部の内面に設けられたフランジ離脱規制部を備えている上記（１）に記載のシリンジ装着具。
（３）  前記第２のフランジ収納用凹部は、前記第２のフランジ収納用凹部の内面に設けられたフランジ離脱規制部を備えている上記（１）または（２）に記載のシリンジ装着具。【００３６】
また、本発明のシリンジ装着具は、以下のものである。
（４）  フランジ付き外筒を備えるシリンジに装着するためのシリンジ装着具であって、前記シリンジ装着具は、前記外筒を先端側から挿入可能であり、かつ、前記外筒より短く、前記外筒の基端側部分を被包可能な筒状部と、前記筒状部の基端に設けられ、前記外筒の前記フランジを収納するフランジ収納部と、前記フランジ収納部より、外側に延びる拡張フランジ部とを備え、前記フランジ収納部は、第１の大きさの前記フランジを有するシリンジの前記フランジを収納するための第１のフランジ収納用凹部と、前記第１のフランジ収納用凹部より基端側に位置し、前記第１の大きさのフランジより大きい第２の大きさのフランジを有するシリンジの前記フランジを収納するための第２のフランジ収納用凹部とを備え、前記第１のフランジ収納用凹部は、前記第１のフランジ収納用凹部の内面に設けられたフランジ離脱規制部を備え、前記第２のフランジ収納用凹部は、前記第２のフランジ収納用凹部の内面に設けられたフランジ離脱規制部を備えていることを特徴とするシリンジ装着具。【００３７】
また、上記の実施態様は、以下のものであってもよい。
（５）  前記フランジ離脱規制部は、前記フランジ収納用凹部の内面の基端側部位に形成された係合用突起を備えており、前記係合用突起は、前記フランジ収納用凹部への前記シリンジのフランジの収納時に、前記フランジの外縁部が乗り越え可能かつ、乗り越え後、前記フランジの基端面の外縁部と係合可能である上記（２）ないし（４）のいずれかに記載のシリンジ装着具。
（６）  前記第１のフランジ収納用凹部は、前記シリンジのフランジの向かい合う２つの外縁部の先端面と当接可能な向かい合う２つの底面部と、前記各底面部の外縁より基端側に延びる内側面部とを備えている上記（１）ないし（５）のいずれかに記載のシリンジ装着具。
（７）  前記第２のフランジ収納用凹部は、前記シリンジのフランジの外縁部の先端面と当接可能な環状底面部と、前記環状底面部の外縁より基端側に延びる環状内側面部とを備えている上記（１）ないし（６）のいずれかに記載のシリンジ装着具。
（８）  前記係合用突起は、前記内側面部に設けられている上記（６）または（７）に記載のシリンジ装着具。
（９）  前記底面部は、前記係合用突起の先端側となる部分に設けられ、前記底面部を貫通する貫通孔を備えている上記（８）に記載のシリンジ装着具。
（１０）  前記拡張フランジ部は、向かい合う２つの延出部を備えている上記（１）ないし（９）のいずれかに記載のシリンジ装着具。
（１１）  前記拡張フランジ部の最大長部分の長さは、前記筒状部の内径の２〜１０倍である上記（１）ないし（１０）のいずれかに記載のシリンジ装着具。
（１２）  前記拡張フランジ部の最大長部分の長さは、前記第２のフランジ収納用凹部の最大長部分の長さの１．５〜４倍である上記（１）ないし（１１）のいずれかに記載のシリンジ装着具。
【図１】
2015146501.tif 000003
【図２】
2015146501.tif 000004
【図３】
2015146501.tif 000005
【図４】
2015146501.tif 000006
【図５】
2015146501.tif 000007
【図６】
2015146501.tif 000008
【図７】
2015146501.tif 000009
【図８】
2015146501.tif 000010
【図９】
2015146501.tif 000011
【図１０】
2015146501.tif 000012
【図１１】
2015146501.tif 000013
【図１２】
2015146501.tif 000014
【国際調査報告】
2015146501.tif 000015
2015146501.tif 000016
2015146501.tif 000017
2015146501.tif 000018